(57)【特許請求の範囲】
【請求項１】
支持体（２）と太陽光モジュール留付手段とを有する据え付けシステムであって、該支持体（２）が閉じた中空箱形支持体形鋼（３）と太陽光モジュール留付手段用のコネクタ（４）とを有し、一基又は複数の前記太陽光モジュール（１）の留付手段はウェブ（９）を有し、該ウェブ（９）によって前記太陽光モジュール留付手段用のコネクタ（４）との接続を行うことができ、前記留付手段は前記支持体（２）の反対側に固定され、ここで、前記支持体（２）の領域にある一基又は複数の太陽光モジュール（１）の留付手段は成形体（８）を有する係合部品からなり、前記ウェブ（９）は前記成形体（８）上に相互に対向して配置され、ここで、前記成形体（８）は孔（11）を有しており、該孔（11）を介して前記太陽光モジュール（１）を留付ボルト（14）によって留め付けることができ、前記孔（11）は前記中空箱形支持体形鋼（３）に向かって延在している据え付けシステムであって、
太陽光モジュール留付手段用の前記コネクタ（４）が、前記中空箱形支持体形鋼（３）の面内部に、形鋼の長手方向に延在する間隔を開けて配された一対の溝（4.1, 4.2）として形成され、前記成形体（８）に対して末端の位置にある前記ウェブ（９）の端部の各々は、前記長手方向に延在する一対の溝（4.1, 4.2）の一方に嵌め込まれることによってそれぞれ少なくとも投錨効果を有して係合し、該係合は、前記嵌め込みの際に前記ウェブ（９）の間隔が一時的に広がる接触係合接続の形態であり、ここにおいて、前記嵌め込みによって前記太陽光モジュール（１）が前記長手方向に延在する一対の溝（4.1, 4.2）に留め付けられると、前記成形体（８）は前記太陽光モジュール（１）の枠体の間をわずかに上方に動くことができ、ここにおいて、前記太陽光モジュール（１）の枠体が前記中空箱形支持体形鋼（３）に押し付けられ、前記ウェブ（９）と前記長手方向に延在する一対の溝（4.1, 4.2）との間にしっかりとした嵌合がなされることを特徴とする据え付けシステム。
【請求項２】
前記支持体（２）が屋根留付手段用のコネクタ（５）を有しており、該コネクタ（５）が、前記中空箱形支持体形鋼（３）の面内部に設けられた、形鋼の長手方向に延在する間隔をあけて配置される連続的な一対の溝（5.1, 5.2）として形成され、該一対の溝（5.1, 5.2）に、前記太陽光モジュール留付手段用の前記係合部品と同様に作られた屋根留付手段用の係合部品が少なくとも投錨効果を有して前記接触係合接続の形態で係合することを特徴とする、請求項１に記載の据え付けシステム。
【請求項３】
長手方向に延在する溝（4.2/5.1）が、前記屋根留付手段用の前記係合部品及び前記太陽光モジュール留付手段の前記係合部品の両方を押し込むための溝として用いられることを特徴とする、請求項２に記載の据え付けシステム。
【請求項４】
前記中空箱形支持体形鋼（３）は長方形又は正方形の箱形鋼であり、前記長手方向に延在する一対の溝（4.1, 4.2）又は（5.1, 5.2）が、中空箱形支持体形鋼（３）の１つの面内であって２つの側方の稜線領域にそれぞれ設けられているか、中空箱形支持体形鋼（３）の対向する２つの面内であって側方の稜線領域にそれぞれ設けられているか、又は、中空箱形支持体形鋼（３）の近接する２つの面内部にそれぞれ設けられていることを特徴とする、請求項１〜３のいずれか一項に記載の据え付けシステム。
【請求項５】
前記中空箱形支持体形鋼（３）は長方形又は正方形の箱形鋼であり、長方形又は正方形の形鋼の上部の２つの稜線を面取りすることによって上部の２つの稜面（6.1、6.2）として形成し、前記長手方向に延在する溝（4.1, 4.2, 5.1）がこれら稜面（6.1、6.2）にそれぞれ設けられていることを特徴とする、請求項１〜３のいずれか一項に記載の据え付けシステム。
【請求項６】
前記中空箱形支持体形鋼（３）は長方形又は正方形の箱形鋼であり、長方形又は正方形の形鋼の上部及び底部の稜線を面取りすることによって上部の稜面（6.1、6.2）及び底部の稜面（7.1、7.2）として形成し、前記長手方向に延在する溝（4.1, 4.2, 5.1, 5.2）がこれら稜面（6.1、6.2、7.1、7.2）にそれぞれ設けられていることを特徴とする、請求項１〜３のいずれか一項に記載の据え付けシステム。
【請求項７】
前記稜面（6.1、6.2、7.1、7.2）の長さが、長方形又は正方形の形鋼における未加工部分の長さよりも短いことを特徴とする、請求項５又は６に記載の据え付けシステム。
【請求項８】
前記長手方向に延在する溝（4.1, 4.2, 5.1, 5.2）を前記稜面（6.1、6.2、7.1、7.2）に形成するときには、前記稜面（6.1、6.2、7.1、7.2）の領域における形鋼の断面が拡大されることを特徴とする、請求項５〜７のいずれか一項に記載の据え付けシステム。
【請求項９】
前記長手方向に延在する溝（4.1, 4.2, 5.1, 5.2）が、その片側又は両側に鳩尾形のガイドを有することを特徴とする、請求項１〜８のいずれか一項に記載の据え付けシステム。
【請求項１０】
成形体（８）が、その各側に間隔をあけて配した２つのウェブ（９）を有するか、又は一方の側に１つのウェブ（９）を有し、他方の側に２つのウェブ（９）を有することを特徴とする、請求項１〜９のいずれか一項に記載の据え付けシステム。
【請求項１１】
成形体（８）に設けられた前記孔（11）は、螺子筋が切ってある孔であり、該孔（11）が、太陽光モジュール（１）用の留付ボルト（14）、屋根取付用フック（12）の接続部品用の留付ボルト（14）、又は中空箱形支持体形鋼接続部品（15）用の留付ボルト（14）と螺合することを特徴とする、請求項２〜１０のいずれか一項に記載の据え付けシステム。
【請求項１２】
前記留付ボルト（14）が、前記中空箱形支持体形鋼（３）を突き刺し、及び／又は貫通する大きさの穿孔延長部（16）を有していることを特徴とする、請求項１１に記載の据え付けシステム。
【請求項１３】
前記屋根取付用フック（12）と支持体（２）との接続のために、前記係合部品を嵌め込むときに、前記屋根取付用フック（12）の前記接続部品を、２つの近接するウェブ（９）の間にある前記成形体（８）と前記中空箱形支持体形鋼（３）との間の間隙に押し込むことができ、前記留付ボルト（14）によって屋根用取付フック（12）の前記接続部品を前記中空箱形支持体形鋼（３）に押し付けることができることを特徴とする、請求項１１又は１２に記載の据え付けシステム。
【請求項１４】
前記ウェブ（９）を有する成形体（８）で作られた係合部品は、支持体（２）と別の支持体（２’）とを接続するのに用いることができ、中空箱形支持体形鋼接続部品（15）は接続される２つの支持体（２、２’）に配置され、両支持体（２、２’）は前記嵌合される係合部品の留付ボルト（14）によって相互に接続することができ、該留付ボルト（14）が中空箱形支持体形鋼（３）を貫通して少なくとも部分的に中空箱形支持体形鋼接続部品（15）に突き刺さるか、又は前記中空箱形支持体形鋼（３）を前記中空箱形支持体形鋼接続部品（15）に押し付けることによってなされることを特徴とする、請求項１〜１３のいずれか一項に記載の据え付けシステム。
【発明の詳細な説明】
【技術分野】
【０００１】
本発明は、板状の物体、特に太陽光モジュールを建物の屋根又は壁に取り付けるためのシステムに関し、取り付け用の形鋼の支持枠が、例えば屋根取り付け用フックによって前記屋根の支持構造体、又は壁に接続され、太陽光モジュールがそこに固定される。
【背景技術】
【０００２】
太陽光モジュールを特に屋根及び他の好ましくは傾斜した広い面に固定する取り付けシステムの開発によって、取り付けコストが大幅に低下し、枠領域の厚さが異なるモジュールの取り付けも可能になっているが、使用される据え付け用形鋼の留付性能の最適な使用方法についての疑問が依然としてある。
【０００３】
驚くべきことに、アルミニウム又はアルミニウム合金を用いた形鋼が通常「オープン形」の取り付け具であることが発見された。これは、即ち、複数のウェブが１つのトラスへと組み上げられる、又は形鋼表面の変形が中空の形鋼の内部に達することを意味し、対応する留付手段がそこに係合するか、取り付けウェブの背部に掛かり、このようにして、太陽光モジュールの枠と屋根取り付け用フックとを固定するためのカウンターベアリングをなしている。
【０００４】
このような事情であるために、これらは、折り曲げられた形鋼（DE 34 23 227 A1）、追加的な支持面を有するＬ形鋼（DE 195 35 104 A1）、Ｕ形鋼の組み合わせ（DE 101 52 354 C1）、又は純粋な特殊形鋼（DE 101 32 557 A1、DE 10 2005 001 654 B3）であることが多い。
【０００５】
このような形鋼は重大な欠点を有している。留付性能に関しては、昔からある箱形鋼に劣ることが多い。不適切な負荷が掛かると、例えば、取り付け作業者が形鋼に体重をかけたりすると、脚又はウェブは容易に折れ曲がってしまう。輸送の間は、このような特殊な形鋼は束ねにくく、また、製造コストも単純な形鋼より明らかに高い。
【先行技術文献】
【特許文献】
【０００６】
【特許文献１】DE 34 23 227 A1
【特許文献２】DE 195 35 104 A1
【特許文献３】DE 101 52 354 C1
【特許文献４】DE 101 32 557 A1
【特許文献５】DE 10 2005 001 654 B3
【発明の概要】
【発明が解決しようとする課題】
【０００７】
本発明の目的は、傾斜した屋根又は傾斜面への合理的な取り付け性の向上を含む最適な留付性能を有する閉鎖型の形鋼を提供することである。
【課題を解決するための手段】
【０００８】
この目的は請求項１に記載の特徴によって達成され、好ましい態様は従属請求項の主題である。
【０００９】
特に太陽光モジュール用の、本発明による取り付けシステムは、太陽光モジュール留め付け用のコネクタと屋根留め付け用のコネクタとを有する中空の桁箱形鋼を備えた支持体からなっており、少なくとも前記太陽光システム留め付け用のコネクタは、前記桁箱形鋼内に又は桁箱形鋼上に設けられた、間隔をあけて配された長手方向に延在する一対の溝又は長手方向に延在する一対のフランジで形成されている。そして、一基又は複数の太陽光モジュールの留付手段は、成形体を有する係合部品の支持体の領域にある。ここで、各成形体は、該成形体上に配置された少なくとも２つの対向するウェブを有しており、このような成形体によって、一対の溝又はフランジとの投錨効果を有する少なくとも一箇所の係合接続を、前記成形体からの距離が大きい方のウェブの両端部で行うことができる。そして、前記成形体が、留付手段、好ましくはボルトを受け入れるための少なくとも１つの孔を有している。
【００１０】
このようにして、取り付けシステムは、係合接続の２つの態様を与える。  
２本のフランジの間隔が一時的に広がる係合接続又は接触係合接続（接触係合接続システム）
前記成形体の２つのウェブが相互の方向に一時的に動いて接続状態になる係合接続（内部係合システム）。
【００１１】
前記成形体が支持軸の方向に動いてしまうことは、前記投錨効果を有する接続によって防止される。勿論、この投錨効果を有する接続は、対応するフランジ／溝構造体による摩擦接続と併用することができる。
【００１２】
接触係合接続システムにおいて、太陽光モジュール留付手段用の接続部は、支持体形鋼の中又は支持体形鋼上に間隔をあけて設けられる、形鋼の長手方向に延在する連続的な一対の溝、又は形鋼の長手方向に延在する一対のフランジとして形成され、成形体に配置された対向する２つのウェブは前記成形体からの距離が大きい方の両端部で、支持体に設けられた、前記長手方向に延在する一対の溝の内の一方にそれぞれ係合するか、長手方向に延在する一対のフランジの内の一方を覆うようにしてそれぞれ係合する。
【００１３】
内部係合接続システムにおいては、支持体形鋼の中又は支持体形鋼上に間隔をあけて配設された、外部から内側に曲がった、長手方向に延在する連続的で平行な一対のフランジとして、太陽光モジュール留付手段用の接続部が形成される。成形体に配置された対向する２つのウェブは、前記長手方向に延在する一対のフランジによって形成された間隙に、前記成形体からの距離が大きい方の２つの端部をパチンと押し込むことによってフランジを把持する。このシステムの特別な態様においては、前記長手方向に延在する一対のフランジが、支持体形鋼に形成された、開口部に向かって狭くなる形状を有する溝によって形成されている。
【００１４】
好ましい態様においては、屋根留付用の接続部は同様の構造を有している。
【００１５】
これらの長手方向に延在する溝又は長手方向に延在するフランジは、屋根留め付け用の係合部品と太陽光モジュール留め付け用の係合部品との接触係合又は内部係合接続用のそれぞれに対応する構造にして用いることができる。これは更なる効果である。
【００１６】
従来技術の形鋼と比較して、本発明の支持体形鋼は中空の室として閉鎖された状態であり、好ましくは桁箱形鋼においても内側は閉鎖されているのがよい。これは、長手方向に延在する溝が形鋼の外壁面に設けられていることを意味している。なお、この壁は当然のことながら対応する厚さを有していなければならない。これによると、同じ強度で、最先端技術の形鋼に比べて30〜40％も材料を減らすことができる。
【００１７】
長方形又は正方形の断面を有する支持体形鋼には、接触係合システム用の長手方向に延在する２本の溝又はフランジが、形鋼の２つの側面にあって形鋼面上若しくは面内部にそれぞれ設けられている。この２本の溝又はフランジは、形鋼の対向する２つの側面の面上若しくは面内部にそれぞれ設けられていてもよいし、また、形鋼の近接する２つの面上若しくは面内部にそれぞれ設けられていてもよい。さらに好ましい態様によると、支持体形鋼は六角形又は八角形の断面を有しており、長方形又は正方形の形鋼と比べると、これは、上部にある２つの稜線、又は上部と底部とにある稜線が側面として形成されている。溝を設ける稜面の長さは、長方形又は正方形の形鋼の未加工部分の長さよりも短いのがよい。
【００１８】
こうして、長手方向に延在する２本の溝又はフランジを、側面上又は側面内に配置することができる。好ましくは、長手方向に延在する１本の溝が各側面内又は側面上にあり、溝の両側が鳩尾形の軌道として形成されるのが好ましい。このようにすると、長手方向に延在する溝は、屋根留付具と太陽光モジュール用留付具の係合部品の接触係合又は内部係合に、投錨効果を有するものとして機能する。
【００１９】
この長手方向に延在する溝が側面に位置していると、単に形鋼の厚さを増すだけで、側面の領域において形鋼の断面を強化することができる。したがって、壁の薄い箱形鋼であっても、溝をより深くすることができる。
【００２０】
稜線を平坦にすることによって作られる空間は、例えば、上方から太陽光モジュールを留め付けるときなどに、溝に入り込む留付手段を形鋼の外側の大きさを超えることなく取り付けることなどに利用することができる。このようにすると、横方向において形鋼を直接的に他の構造部品に近接させることができる。
【００２１】
成形体に設けられた孔は、螺子筋が切ってある孔であると好ましく、留付部品が支持体に上方から取り付けられるか、側方から取り付けられるかに応じて、太陽光モジュールの枠又は屋根取付用フックの留付をするのに使用される。
【００２２】
内部係合システムにおいては、ウェブを押し付けることによって係合されたウェブが少なくとも投錨効果のある接続から緩むのを取り付けられた留付ボルトが防ぐように、２つのウェブの間の空間と、折り曲げられた長手方向に延在する一対のフランジの開口部の溝の幅（又は外部に開いている部分の溝の幅）との大きさが定められている場合は、システムが自動的に離れてしまうのを防ぐことができる。
【００２３】
前記成形体と留付部品のウェブも支持体への接続を作るのに用いることができ、例えば、第一の支持体の延長部を作るのに用いることができる。成形体にねじ込むことのできる留付ボルトは、穿孔端部を備えており、この端部で支持体形鋼を突き抜けて、支持体形鋼接続部品へと至り、支持体形鋼に入り込んで、それを固定する。突出している支持体形鋼の接続部品上に新しいトラスが押し付けられ、同じように留め付けられる。この配置は取り外すことができる。しかしながら、締め付けの最中に支持体形鋼接続部品と２つの支持体との変形を行って、投錨効果を有する固定を行うこともできる。
【００２４】
例となる態様が図に示されている。
【図面の簡単な説明】
【００２５】
【図１】接触係合の態様における箱形鋼を示している。
【図２】支持体用の端部接続を示している。
【図３】内部係合の態様を示している。
【発明を実施するための形態】
【００２６】
図１は、その上部において参照符号6.1、6.2、その下部において参照符号7.1、7.2によって稜面が示されており、面取りされた稜線を有する正方形の形鋼の形状をした支持体形鋼３を有する接触係合システムの支持体２を示している。支持体の長手方向に沿って設けられた長手方向に延在する溝４、５は各稜面の中央に配置されており、その両側には鳩尾状の軌道が形成されている。正方形の形鋼は閉じた形状をしているので、それ故に、最適な強度性能を有している。溝４、５を含むこのような形鋼の製造は、押し出しによって技術的に容易に行うことができる。切断によって支持体を取り扱い易い長さにすることができる。積み上げを最適に行うことができるので、輸送も経済的に行うことができる。さらに、この形鋼は、踏み付けられることによって変形しやすい突出部を有していない。したがって、先に組み込まれた支持体は、組み立て作業中に作業者の踏み台として使用することができる。
【００２７】
支持体２を屋根取付用フック12によって屋根へ、また、太陽光モジュール１を留め付けるために留付部品が支持体形鋼３に挟み付けられている。この留付部品は、対向する２つのウェブ９を備えた成形体８を有している。これらウェブの、間隔が大きい方の対向する両端部は成形体８から離れており、前記長手方向に延在する溝４、５に投錨効果を有して及び／又は有することなく係合する。
【００２８】
図示されている態様において、上面に搭載されている成形体８はその各側部に太陽光モジュールを留め付けるためのウェブ9.1、9.2を備えており、側面に配設されている屋根取付用フックを留め付けるための成形体８は、間隔をあけて配置されている一対のウェブ９をそれぞれ備えている。ウェブの端部は、長手方向に延在する溝4.2／5.1に投錨効果を有して及び／又は有することなく係合している。長手方向に延在する溝4.2／5.1はここでは溝であり、長手方向に延在する一対の溝4.1−4.2と5.1−5.2との一部をなしている。成形体８の他方のウェブ9.1と9.4とは、長手方向に延在する溝4.1又は4.2に投錨効果を有して及び／又は有することなく係合している。
【００２９】
間隔をあけて設けられた一対のウェブ９（全部で８つのウェブ）を使用することは、特に、屋根取り付け用フックを留め付けるのに重要である。屋根取り付け用フックの接続部品は、一方の側から２つのウェブ９の間の、成形体８と支持体２との間に滑り込ませることができ、成形体８を介して留付ボルト14で支持体２に押し付けることができる。こうして、一対のウェブ9.3、9.4は、長手方向に延在する溝4.2／5.1と溝5.2との内部に嵌合する。
【００３０】
支持体12に長手方向に延在する歯部13を設けることによって、その留め付け領域に対応する凹部又は凸部を有する屋根取り付け用フック12の接続部を、投錨効果のない接続に加えて、投錨効果を有して支持体２と接続することができる。このようにして、屋根に対して垂直方向の変位が防止される。屋根取り付け用フック12がその高さに関して複数の対応する凹部又は凸部を有している場合は、支持体の長手方向に延在する歯部13の形状は基本的なもの（単一の窪み）であればよい。勿論、逆に、両方の部材が複数の対になった凹凸部を有していることも可能である。トラス２に設けられる長手方向に延在する歯部13は、支持体２を押し出す間に容易に形成することができるので、押し出しによって作るのがやはり有利である。ここで使用されている長手方向に延在する歯部13は、支持体形鋼３に設けられた突出歯であっても溝であってもよい。
【００３１】
図より明らかに理解されるように、稜面6.1、6.2、7.2に係合されるウェブ９は形鋼の外側境界を超えて突出していないので、横方向に見た目に平坦な支持体２が提供され、横方向に支持体を更に接続して行くことが妨げられない。このことが、本発明が提供する取り付けシステムのさらに重要な効果である。
【００３２】
成形体８は螺子筋を切った孔11を有している。該孔は支持体形鋼３の方向に設けられており、この孔を介して、留付ボルトを用いて太陽光モジュール１又は屋根取り付け用フック12の留付を行うことができる。螺子筋とボルトとによる接続の代わりに、太陽光モジュールの留付には他の公知の接続要素も用いることができる。
【００３３】
太陽光モジュールの留付の最中には、成形体８を太陽光モジュールの枠の間を上向きにやや動かし、これによって、ウェブ９が長手方向に延在する溝4.1と溝4.2／5.1とに強固に係合する。そして、太陽光モジュール１は支持体形鋼３にその枠を押し付けられる。前記留付ボルト14が、該ボルトを強固に締め付けるために、穿孔延長部16も有している場合は、支持体形鋼13を貫通することによって該形鋼へのさらに強固な固定が可能になる。
【００３４】
この例示されている態様は、先に記載した本発明の形鋼の効果とは別に、ほんの少しの掴み所があれば、全ての取り付け作業を上から行うことができる。これが、本発明による解決策の更なる効果である。
【００３５】
図２は、ウェブ９を有する成形体８を用いた、支持体形鋼３を有する支持体２の端部接続を図示している。ウェブ9.1と9.2とを有する成形体８は支持体形鋼３に係合している。支持体形鋼接続部品15が支持体形鋼３に押し込まれている。
【００３６】
成形体８にねじ込まれている、留付ボルトは穿孔延長部16を含んでおり、それによって支持体形鋼３を貫通し、挿入されている支持体形鋼接続部品15に少なくとも部分的に突き刺さって支持体形鋼接続部品を所定位置に固定する。
【００３７】
さらなる支持体２を支持体形鋼接続部品15に押し込んで、同様にして、成形体８を有する更なる留付具で接続することもできる。
【００３８】
このような操作は上方から行うことができ、大した努力を必要としない。留付ボルトは成形体８に沈み込んで、支持延長部が他の取り付け操作の妨げになることは全くない。
【００３９】
図３は、長手方向に延在する一対のフランジ17.1、17.2の形態をしたコネクタ４を備えた桁箱形鋼３の２つの態様を有する内部係合システムを示している。この態様では外側のフランジ領域が内側に向かって縁曲げされており、フランジ領域、態様Ｂでは外側溝幅が、より小さくなり、係止部材（成形体８、ウェブ9.1, 9.2、留付ボルト４）のウェブ9.1、9.2の端部による背面の把持が、ウェブ9.1、9.2を、両ウェブを近付ける方向に一時的に押すことによって可能になる。
【００４０】
図示されているように、ウェブ脚部9.1、9.2の端部は外側に傾斜しているのが好ましく、そのような形状を有していると、係合部に垂直な力を加えることによって両ウェブを近付けるように押すことができる。そして力の分割は、前記縁曲げされている稜部又は溝の縁部で脚部の傾斜によってなされる。
【００４１】
この桁箱形鋼３は、両態様で内部が閉じた状態にあり、それ故に高い強度を保証する。
【００４２】
参照符号17.1及び17.2で示される「長手方向に延在する縁曲げされたフランジ」は、太陽光モジュール用コネクタ４及び屋根留付用コネクタ５とに関して、態様Ａと態様Ｂとの両方を含む表現である。なお、態様Ｂにおいては溝と称されることもある。長手方向に延在する一対のフランジ17.1、17.2は、こうして支持体形鋼３上に、又は支持体形鋼３の内部に配置される。溝の形状が屋根用留付具の役割を果たし、縁曲げされた取り付けられた一対のフランジ17.1、17.2が太陽光モジュール用の接続部の役割を果たす組み合わせ型も考えることができる。
【００４３】
内部係合システムは、図示されている態様Ａ及びＢに限定されない。
【００４４】
態様Ａにおいてウェブ9.1とウェブ9.2との間の空間と、長手方向に延在する縁曲げされた一対のフランジ17.1、17.2の開いた間隙の幅とは、挿通された留付ボルト14が、ウェブ9.1、9.2を一緒になるように押し付けることによる少なくとも投錨効果を有した結合から内部係合ウェブ9.1、9.2が緩むのを防止するような大きさになっている。この原理は、態様Ｂにおいても用いることができる。
【００４５】
留付ボルトの軸は、当然のことながら、２つのウェブ9.1と9.2との間に挿入されている状態で位置するように十分に長くなければならない。このために、軸の当該部分は螺子筋を有している必要はなく、螺子筋のある部分の芯の直径と同じかそれよりも小さい直径を有する単純な丸いピンとして形成することができる。
【００４６】
長手方向に延在する一対のフランジ17.1、17.2を有するこれらの箱形鋼も、据え付けの準備に要求される単一の加工工程が長さを合わせて切断するだけであるように、押し出し成形することができる。
【００４７】
言うまでもなく、図１に示されているような長手方向の歯部13を、この形鋼の屋根留付用コネクタ５の領域にも設けて、係合部品によってなされる箱形鋼との投錨効果を有さない接続に、追加的な投錨効果を有する接続を与えることもできる。
【００４８】
内部係合留付部品を有する中空の箱形鋼を基礎とする、提案された形鋼の変形例によると、経費集約型の特別な形鋼から離れると共に単純な形鋼へと近付くという進歩が、結果として効果的になされた。留付ボルトを既に備え、任意にモジュールホルダも有している留付部品を接触係合又は内部係合することと留付ボルトを締め付けることとによって必須の作業段階がなされるので、屋根の上での据え付けを最適に実現することができる。
【符号の説明】
【００４９】
１：太陽光モジュール
２：支持体
３：閉鎖型の支持体形鋼
４：太陽光モジュール留め付け用のコネクタ
4.1：長手方向に延在する一対の溝
4.2：長手方向に延在する一対の溝
５：屋根留め付け用のコネクタ
5.1：長手方向に延在する一対の溝
5.2：長手方向に延在する一対の溝
６：上部の稜部面
6.1：左上部の稜部面
6.2：右上部の稜部面
７：底部の稜部面
7.1：左底部の稜部面
7.2：右底部の稜部面
８：成形体（留付部品）
９：成形体に設けられたウェブ（留付部品）
11：成形体に設けられた孔（留付部品）
12：接続部を有する屋根取り付け用フック
13：長手方向に延在する歯部
14：留付ボルト
15：支持体形鋼接続部品
16：留付ボルトに設けられた穿孔延長部
17.1：長手方向に延在する縁曲げされた一対のフランジ
17.2：長手方向に延在する縁曲げされた一対のフランジ
【図１】
0005485689.tif 000002
【図２】
0005485689.tif 000003
【図３】
0005485689.tif 000004